(57)【要約】【課題】シート体１の上下方向複数箇所に骨材を配してなるシートシャッター装置において、骨材を収容する袋状部の強度を高めるようにする。【解決手段】第一骨材受けシート６の開閉方向両端部の縫着代６ｂを、第二骨材受けシート７の一方の面にあてがい、縫い糸８を用いて縫着することにより袋状部６ｄを構成し、前記第二骨材受けシート７の他方の面の余長部７ｂ、即ち、第一骨材受けシート６との縫着部の開閉方向外方に位置する余長部７ｂをシート体１に溶着する構成とする。【選択図】図４
2008144493.tif 000002
【特許請求の範囲】
【請求項１】
開口部を開閉するシート体に幅方向に長い骨材を設け、該骨材の左右両端部とシート体の左右両側縁部とを開口部の左右両側部に設けたガイドレールに移動自在に嵌挿してなるシートシャッター装置において、前記骨材は、第一骨材受けシートの開閉方向両端部を第二骨材受けシートに縫着して形成される袋状部に収容され、前記第二骨材受けシートをシート体に溶着することでシート体に設けられているシートシャッター装置。
【請求項２】
第二骨材受けシートは、第一骨材受けシートとの縫着部よりも開閉方向外方に予め設定される長さの余長部が形成されるものとし、該余長部をシート体に溶着するように構成されている請求項１に記載のシートシャッター装置。
【請求項３】
骨材は、第二骨材受けシートの一方の面に形成された袋状部に収容され、第二骨材受けシートの他方の面はシート体の裏面に溶着されている請求項１または２に記載のシートシャッター装置。
【請求項４】
第一、第二骨材受けシートは、シート体と同様の幅寸法に設定され、第一骨材受けシートのガイドレール嵌挿部は、骨材対向部が切り欠かれている請求項１乃至３の何れか１項に記載のシートシャッター装置。
【発明の詳細な説明】
【技術分野】
【０００１】
本発明は、工場や倉庫等のように出入りの頻繁な建築物の開口部を開閉するシートシャッター装置の技術分野に属するものである。
【背景技術】
【０００２】
一般に、工場や倉庫等のように出入りの頻繁な建築物の開口部に、開閉体としてシート材からなるシート体を用い、迅速な開閉作動をするように構成したシートシャッター装置を設けることがある。このようなシートシャッター装置において、開口部を開閉するためのシート材は剛性がなく、シート材の左右側縁部をガイドレールに移動案内させることにより開口部に張設状態にすることが難しいという問題がある。
【０００３】
この改善策として、シート体の開閉方向（上下方向）複数箇所に左右方向に長い骨材を設け、これら骨材の左右両端部をシート体の左右両側縁部とともに、開口部の左右両側部に設けたガイドレールに移動自在に嵌挿（嵌入）させるように構成したものが提唱されている。
【特許文献１】特開２００６−３０７５２１
【発明の開示】
【発明が解決しようとする課題】
【０００４】
前記従来のものは、骨材をシート体に設ける手段として、シート体を構成するシート材と同様のシート材を予め設定される上下、左右長さに裁断して骨材受けシートを形成し、該骨材受けシートの上下端縁部を、シート体の一方の面であって、例えば屋内側となる裏面に一体化することにより袋状部を形成し、該袋状部に骨材を挿し込んで収容するようにしている。しかるに、このものでは、シート体に障害物が当接したような場合に、骨材に集中して負荷が作用することが想定され、このため、袋状部のシート体に対する一体化強度を高めることが課題となる。
さらに、前記従来のものにおいて、骨材は、ガイドレールに嵌挿する左右両端部位を細軸状の軸部とし、該軸部をシート体の左右側縁部とともにガイドレールに嵌挿する構成であり、シート体とともに袋状部を構成する骨材受けシートの左右端縁は、ガイドレール対向部位において切断されていて軸部が外部に露出する状態でガイドレールに嵌挿されている。このため、骨材受けシートの左右幅はシート体よりも短くなって、骨材受けシートの左右端縁部が開口部に露出しており、前述したように袋状部に大きな負荷が作用した場合、該負荷が開口部に露出する骨材受けシートの左右両端部に集中して、シート体の一体化が壊れやすく剥がれてしまうこともあり、このようになると、意匠性に劣るばかりでなく、シートシャッター装置が正常に作動することができなくなるような惧れもあって問題があり、ここに本発明の解決すべき課題がある。
【課題を解決するための手段】
【０００５】
本発明は、上記の如き実情に鑑みこれらの課題を解決することを目的として創作されたものであって、請求項１の発明は、開口部を開閉するシート体に幅方向に長い骨材を設け、該骨材の左右両端部とシート体の左右両側縁部とを開口部の左右両側部に設けたガイドレールに移動自在に嵌挿してなるシートシャッター装置において、前記骨材は、第一骨材受けシートの開閉方向両端部を第二骨材受けシートに縫着して形成される袋状部に収容され、前記第二骨材受けシートをシート体に溶着することでシート体に設けられているシートシャッター装置である。
請求項２の発明は、第二骨材受けシートは、第一骨材受けシートとの縫着部よりも開閉方向外方に予め設定される長さの余長部が形成されるものとし、該余長部をシート体に溶着するように構成されている請求項１に記載のシートシャッター装置である。
請求項３の発明は、骨材は、第二骨材受けシートの一方の面に形成された袋状部に収容され、第二骨材受けシートの他方の面はシート体の裏面に溶着されている請求項１または２に記載のシートシャッター装置である。
請求項４の発明は、第一、第二骨材受けシートは、シート体と同様の幅寸法に設定され、第一骨材受けシートのガイドレール嵌挿部は、骨材対向部が切り欠かれている請求項１乃至３の何れか１項に記載のシートシャッター装置である。
【発明の効果】
【０００６】
請求項１の発明とすることにより、袋状部を補強できるうえ、シート体との一体化強度を高めることができる。
請求項２の発明とすることにより、袋状部のシート体への一体化強度を、余長部の長さを変えることで大小変化させることが可能になるうえ、袋状部をシート体から簡単に取り外すことができる。
請求項３の発明とすることにより、縫着部が表面に露出することがなく、意匠性の向上を図れるうえ、シート体の表面を内側にして巻き取りドラムに巻装した場合では、縫着部とシート体とが擦れることがなくなってシート体の保護を図ることができる。
請求項４の発明とすることにより、袋状部における耐久性を向上させることができる。
【発明を実施するための最良の形態】
【０００７】
つぎに、本発明の実施の形態について、図面に基づいて説明する。
図面において、１はシートシャッター装置のシャッターカーテンに相当するシート体であって、該シート体１は矩形状に裁断されたシート材を適宜縫製、溶着等の加工を施すことにより構成されており、上縁部は、開口部上方に設けたシャッターケース２内に回転自在に軸承される巻き取りドラム３に連結されている。そして、シート体１は、後述するように、左右方向（幅方向）に長い骨材４を開閉方向複数箇所に配設することにより剛性を付与されており、シート体１の左右両側縁部と、骨材４の左右両端部から突出する細軸状の軸部４ａとが、開口部の両側部に配設された一対のガイドレール５のガイド溝５ａにそれぞれ移動自在に嵌挿されている。そして、図示しない開閉機の正逆駆動に伴い、巻き取りドラム３が回転することにより、シート体１の巻き取りドラム３への巻き取り、巻き出しがなされ、これによって、シート体１がガイドレール５内を移動して開口部を開放する全開姿勢と開口部を閉鎖する全閉姿勢とのあいだを開閉移動するように構成されており、これらの基本構成は従来通りの構成となっている。
尚、１ａは、シート体１の下端部を上方に向けて折り返し、該折り返し部をシート体１に一体化することにより形成された袋状部であって、該袋状部１ａには、シート体１の座板としての機能を果すべく錘としての主骨材１ｂが収容されている。
【０００８】
さて、前記シート体１は、一方の面であって、本実施の形態では屋内側に面する裏面に、前記骨材４を収容するべく開閉方向複数箇所に骨材収容部Ｈが設けられているが、各骨材収容部Ｈに本発明が実施されており、シート体１を構成するシート材と同様のシート材を用いて形成される第一、第二骨材受けシート６、７により構成されている。
尚、骨材収容部Ｈは、シート体１を巻き取りドラム３に巻装したときに、骨材４が周回り方向に位置ズレする位置関係となるよう、巻き取りドラム３への巻き形に対応してシート体１の予め設定される上下方向位置に設けられるように設定されている。
【０００９】
つぎに、骨材収容部Ｈの詳細について説明する。
まず、第一骨材受けシート６は、骨材４の外周面を包含する包含部６ａと、該包含部６ａの上下縁部であって、第二骨材受けシート７に縫着するための縫着代６ｂとが形成されたものに構成されている。前記第一骨材受けシート６の左右方向幅は、シート体１の左右幅と同様の左右長さに設定され、開閉方向長さ（上下方向長さ）は、骨材４を包含可能な包含部６ａの上下方向長さに縫着代６ｂの上下方向長さの二倍を加えた長さに設定されている。さらに、第一骨材受けシート６は、包含部６ａの左右両端部に位置し、骨材４の軸部４ａに略相当する長さ分を切り落とすことにより切り欠き窓６ｃがそれぞれ形成されている。
一方、第二骨材受けシート７は、第一骨材受けシート６の縫着代６ｂが縫着され、第一骨材受けシート６の包含部６ａとともに骨材４を収容する収容部７ａと、該収容部７ａの上下方向（開閉方向）外方に向けて予め設定される長さ寸法で延出する余長部７ｂとがそれぞれ形成されたものに構成されており、第二骨材受けシート７の左右方向長さは、前記シート体１および第一骨材受けシート６の左右方向長さと同様の長さに設定されており、開閉方向長さ（上下方向長さ）は、収容部７ａの上下方向長さに上下の余長部７ｂの上下方向長さをそれぞれ加えた長さに設定されている。
【００１０】
そして、第一骨材受けシート６は、上下の縫着代６ｂを、各端縁部が上方を向く状態として第二骨材受けシート７の一方の面における収容部７ａの上下にあてがい、これら各縫着代６ｂの上下二箇所において、それぞれ第二骨材受けシート７に縫い糸８を用いて縫着することで第二骨材受けシート７に一体化されるように設定されており、これによって、第一骨材受けシート６の包含部６ａと第二骨材受けシート７の収容部７ｂとにより骨材４を収容するための袋状部６ｄが形成されている。このとき、第一骨材受けシート６の縫着部６ｂの左右方向長さは、包含部６ａ（袋状部６ｄ）の左右長さよりも長く、第二骨材受けシート７の左右長さと同寸法に設定されている。このため、第一骨材受けシート６は、縫着代６ｂにより第二骨材受けシート７の左右幅全域において一体的に縫着されるものでありながら、包含部６ａの左右端位置に切り欠き窓６ｃが形成されている分、袋状部６ｄが第二骨材受けシート７よりも幅狭になるように形成されている。これによって、後述するように、骨材４の左右両端部の軸部４ａが前記切り欠き窓６ｃから外部に露出するように構成されている。
【００１１】
前記縫着状態となった第一、第二骨材受けシート６、７は、第一、第二骨材受けシート６、７により形成された袋状部６ｄがシート体１の裏面側に突出するべく、第二骨材受けシート７の他方の面をシート体１の裏面に突きあて、前記収容部７ａを避けた部位、即ち、上下の縫着代６ｂ当接部よりも上下方向外方に位置する余長部７ｂとシート体１とのあいだをそれぞれ溶着することにより、シート体１と第二骨材受けシート７との一体化がなされるように設定されている。これによって、シート体１の裏面に、第一、第二骨材受けシート６、７により構成された袋状部６ｄを備えた骨材収容部Ｈが裏面側に突出する状態で形成されている。
このとき、第一、二骨材受けシート６、７同士の縫着部は、シート体１の裏面側にのみ露出して、表面側に露出することがなく、これによって、意匠性の高いシート体１とすることができるうえ、シート体１を、骨材収容部Ｈが形成される裏面を外側（表面を内側）として巻き取りドラム３に巻装したときに、縫着部は裏面側（外側）に露出していて、縫着部が巻き取りドラム３や、先行して巻き取りドラム３に巻装されたシート体１に擦れることがないうえ、後行して巻き重ねられるシート体１に対しては、外側に突出する骨材４により縫着部と離間した状態となっていてシート体１を擦るようなことがなく、もって、シート体の保護を図れるように構成されている。
また、第二骨材受けシート７の袋状部６ｄを構成する縫着部に対向する部位は、シート体１に溶着されることがないので、第一、第二骨材受けシート６、７のあいだの縫い糸８を切り取ることができ、これによって、第一骨材受けシート６だけをシート体１から取り外すことが可能となり、シート体を、骨材４の数が少ないタイプ、あるいは、骨材４を用いないタイプのシートシャッター装置に変更することもできるように構成されている。
【００１２】
ここで、第二骨材受けシート７の余長部７ｂの長さは、本実施の形態では、袋状部６ｄを構成する収容部７ａの長さよりも長く、該袋状部６ｄにおける上下長さの二倍には満たない長さに設定されているが、該余長部７ｂの長さを長くすることでシート体１への一体化強度を大きくすることが可能であり、シート体１の大きさ、骨材４の強度、配設間隔等の設置環境に基づいて余長部７ｂの長さを適宜変化させることにより、骨材収容部Ｈの一体化強度を調整することが可能となり、これによって、使用条件に合ったシートシャッター装置を構成することが可能となるように構成されている。
【００１３】
一方、前記骨材４は、金属材によりパイプ状に形成され、シート体１に剛性及び重量を付与するものであるが、骨材４の大径な本体部４ｂにおける左右長さは、前記左右一対のガイドレール５の対向間隔よりも短く設定され、該本体部４ｂから外部に突出する軸部４ａを含めた左右長さが、シート体１の左右長さと同長さとなるように設定されている。
そして、前記骨材４は、シート体１の裏面に第一、第二骨材受けシート６、７により形成された骨材収容部Ｈの袋状部６ｄに収容されるが、このとき、骨材４は、袋状部６ｄの左右方向両端部に形成された切り欠き窓６ｃを介して収容することができるように設定されている。このとき、袋状部６ｄに収容された骨材本体部４ｂから突出する軸部４ａは、切り欠き窓６ｃから外部に露出するように設定されており、該外部に露出する軸部４ａと、シート体１、第一骨材受けシート６の上下の縫着代６ｂ、第二骨材受けシート７の左右両側縁とがガイドレール５のガイド溝５ａに嵌挿されるように設定されている。
ここで、袋状部６ｄを構成する第一、第二骨材受けシート６、７同士は、前述したように、シート体１と同様の左右幅方向一体にわたって縫着されている。これによって、骨材４（袋状部）に大きな負荷が作用したとしても、縫着部が骨材４の長さと同じ長さになっているため、縫着部における左右端部がほつれて剥離するような現象を発生しにくくできるうえ、発生したとしても、該剥離した縫着代６ｂが開口部にまで露出するような事は起こりにくく、もって耐久性の向上を果せるように構成されている。
尚、骨材４は、袋状部６ｄを構成する第一骨材受けシート包含部６ａとのあいだにリベット４ｃ止めすることによりにより固定されており、これによって、骨材４の左右方向の位置規制、ならびに、回転規制がなされるように設定されている。
【００１４】
叙述の如く構成された本形態において、シートシャッター装置におけるシート体１は、巻き取りドラム３の正逆回転に伴い巻き出し、巻き戻しがなされて開口部の開閉を行うが、このものにおいて、シート体１に剛性を付与する骨材４は、シート体１の裏面に設けられた骨材収容部Ｈに収容されている。そして、前記骨材収容部Ｈは、第一、第二骨材受けシート６、７を用い、第一骨材受けシート６を第二骨材受けシート７に縫着することにより袋状部６ｄを形成し、該袋状部６ｄが縫製された第二骨材受けシート７の余長部７ｂを、シート体１に溶着することによりシート体１に設けられている。この結果、骨材収容部Ｈは、二枚のシート材を用いて形成される分、補強がなされたものになるうえ、従来の袋状部をシート体に直接設けたもののように、袋状部とシート体との一体化面積が小さくなってしまうことがなく、一体化強度を高めることができる。しかも、第二骨材受けシート余長部７ｂの面積、つまり、シート体１への溶着面積を大きくすることにより、骨材収容部Ｈのシート体１への一体化強度を一層高めることが可能となる。
【００１５】
さらに、本発明が実施されたものにあっては、第二骨材受けシート７を、第一骨材受けシート６が縫着される部位を除く余長部７ｂにおいてシート体１に溶着する構成としたので、骨材収容部Ｈのシート体１への一体化強度を、余長部７ｂの上下方向長さを調整することにより、設置環境にあった一体化強度とすることができる。しかも、このものでは、縫着部が溶着されることがないので第一骨材受けシート6を第二骨材受けシート７から取り外すのが容易で、骨材４を用いるタイプから骨材４を減らしたり、骨材４を用いないタイプに変更することが容易に実現できる。
【００１６】
そのうえ、このものでは、袋状部６ｄが形成されている第一、第二骨材受けシート６、７をシート体１の裏面に設けたとき、袋状部６ｄを縫い付けることにより形成される縫着部がシート体１の表面に露出することがなく、意匠性のよいシート体１とすることができるうえ、巻き取りドラム３に巻装したとき、骨材収容部Ｈが設けられるシート体１の裏面が外側になる状態で巻装することにより、縫着部の縫い糸８によりシート体１を傷つけることがなく、シート体１の保護を図ることができる。
【００１７】
さらに、このものにおいて、第一、第二骨材受けシート６、７は、両者共にシート体１の左右幅と同寸法に設定されていて、シート体1の左右両端縁部に至るまで縫着、そして、溶着されている。この結果、骨材４に大きな負荷が作用しても第一、第二骨材受けシート６、７の縫着部が剥離しにくく、また、剥離したとしても、従来の袋状部の端部が開口部に位置するもののようにすぐに剥離した部分が開口部に露出してしまうことがなく、耐久性に優れたものにできる。
【図面の簡単な説明】
【００１８】
【図１】シートシャッター装置の概略正面図である。
【図２】シートシャッター装置の一部側面図である。
【図３】シート体及び骨材のガイドレール嵌入状態を説明する平面断面図である。
【図４】骨材収容部を説明する背面図である。
【図５】骨材収容部を説明する斜視図である。
【図６】骨材収容部を説明する側面図である。
【符号の説明】
【００１９】
１    シート体
４    骨材
５    ガイドレール
６    第一骨材受けシート
６ｂ    縫着代
６ｄ    袋状部
７    第二骨材受けシート
７ｂ    余長部
【図１】
2008144493.tif 000003
【図２】
2008144493.tif 000004
【図３】
2008144493.tif 000005
【図４】
2008144493.tif 000006
【図５】
2008144493.tif 000007
【図６】
2008144493.tif 000008